(57)【要約】【課題】夜間における蓄熱材からの放熱のムダを低減し得、かつ昼間における暖房効果も向上することができる蓄熱式暖房装置の制御方法、ならびに蓄熱式暖房装置を提供する。【解決手段】パネル状部材と、パネル状部材から離反する方向に向かって第一のヒータ、蓄熱材および第二のヒータが順次積層された蓄熱ユニットとを少なくとも備え、予め定められる蓄熱時間帯において蓄熱材に蓄熱し、その熱の放出によって上記蓄熱時間帯を除く時間帯の暖房を行う蓄熱式暖房装置を制御する方法であって、第二のヒータには上記蓄熱時間帯のみ通電し、かつ、第一のヒータには少なくとも、上記蓄熱時間帯を除く時間帯の一部の時間帯に通電することを特徴とする蓄熱式暖房装置の制御方法、ならびにそれに用いる蓄熱式暖房装置。【選択図】    図１
2004245533.tif 000002
【特許請求の範囲】
【請求項１】
パネル状部材と、パネル状部材から離反する方向に向かって第一のヒータ、蓄熱材および第二のヒータが順次積層された蓄熱ユニットとを少なくとも備え、予め定められる蓄熱時間帯において蓄熱材に蓄熱し、その熱の放出によって上記蓄熱時間帯を除く時間帯の暖房を行う蓄熱式暖房装置を制御する方法であって、
第二のヒータには上記蓄熱時間帯のみ通電し、かつ、第一のヒータには少なくとも、上記蓄熱時間帯を除く時間帯の一部の時間帯に通電することを特徴とする蓄熱式暖房装置の制御方法。
【請求項２】
上記蓄熱時間帯が夜間電力時間帯の少なくとも一部である請求項１に記載の制御方法。
【請求項３】
上記蓄熱時間帯を除く時間帯の一部の時間帯が、蓄熱時間帯の直後の時間帯、および／または、蓄熱時間帯の直前の時間帯である、請求項１または２に記載の制御方法。
【請求項４】
パネル状部材と、パネル状部材から離反する方向に向かって第一のヒータ、蓄熱材および第二のヒータが順次積層された蓄熱ユニットと、該蓄熱ユニットを制御するための制御手段とを備える蓄熱式暖房装置であって、
制御手段が、予め定められる蓄熱時間帯のみ通電するように第二のヒータへの通電を制御し、かつ、少なくとも上記蓄熱時間帯を除く時間帯の一部の時間帯において通電するように第一のヒータへの通電を制御し得る機能を少なくとも有する蓄熱式暖房装置。
【請求項５】
パネル状部材と、パネル状部材から離反する方向に向かって第一のヒータ、蓄熱材および第二のヒータが順次積層された蓄熱ユニットを少なくとも備える蓄熱式暖房装置であって、第一のヒータが第二のヒータよりも大きな電気容量を有する蓄熱式暖房装置。
【請求項６】
予め定められる蓄熱時間帯のみ通電するように第二のヒータへの通電を制御し得、かつ、少なくとも上記蓄熱時間帯を除く時間帯の一部の時間帯において通電するように第一のヒータへの通電を制御する機能を少なくとも有する制御手段をさらに備える、請求項５に記載の蓄熱式暖房装置。
【請求項７】
第二のヒータに隣接して断熱材が設けられたものである、請求項４〜６のいずれかに記載の蓄熱式暖房装置。
【請求項８】
第一のヒータとパネル状部材とが互いに密着している、請求項４〜７のいずれかに記載の蓄熱式暖房装置。
【請求項９】
床暖房装置である、請求項４〜８のいずれかに記載の蓄熱式暖房装置。
【発明の詳細な説明】
【０００１】
【発明の属する技術分野】
本発明は、蓄熱式暖房装置の制御方法、およびそのための蓄熱式暖房装置に関する。
【０００２】
【従来の技術】
従来より、省エネルギーの実現、昼夜の電力需要のバランスの改善、電気料金の低減などを目的として、安価な夜間の電力を利用して発生させた熱を利用する蓄熱式床暖房装置が知られている。典型的な構造の蓄熱式床暖房装置は、板状体の厚み方向一方側の表面に間隔をあけて複数本の根太が設けられたパネル状部材の各根太間に、ヒータおよび蓄熱材を積層し、さらに断熱材を介して裏面板を設けてなる構造を有し、電力料金の安い夜間（たとえば、２３時〜７時の時間帯）にヒータに通電して蓄熱材を蓄熱しておき、その熱を朝方から夕方まで（たとえば、７時〜２３時の時間帯）に放熱して、パネル状部材を介して床面を適度に温めることによって、部屋全体の暖房を行うように実現される。
【０００３】
かかる蓄熱式床暖房装置において、ヒータおよび蓄熱材は、▲１▼床面への熱伝導性を確保する、▲２▼昼間の暖房に必要な蓄熱容量を確保するというような観点から、１つの蓄熱材と１つのヒータを積層させた構造（［１］ヒータがパネル状部材側に配置される場合、［２］蓄熱材がパネル状部材側に配置される場合）、あるいは［３］２つの蓄熱材で１つのヒータをサンドイッチ状に挟持するようにして積層させた構造で組み込まれるのが一般的であった（たとえば、特許文献１〜４などを参照。）が、それぞれ以下のような不具合があった。
【０００４】
［１］パネル状部材、ヒータ、蓄熱材の順での積層構造の場合
蓄熱材を充分に蓄熱させることを基準にしてヒータの電気容量を選定しないと昼間の蓄熱材の放熱による暖房が不充分となる虞があるが、該基準にて選定した電気容量のヒータを用いると、夜間電力時間帯にヒータに通電して蓄熱材の蓄熱を行っている間に、ヒータがパネル状部材側も直接加熱してしまい、朝方に床温、室温が適温よりも高くなってしまう傾向にある。また、夜間に放熱が大きくなるため、夜間に床温・室温が上昇してしまい、外部への熱の放熱が大きくなる傾向にある。
【０００５】
［２］パネル状部材、蓄熱材、ヒータの順での積層構造の場合
蓄熱材を充分に蓄熱させることを基準にしてヒータの電気容量を選定すると、下方への放熱が大きくなってしまうことにより、床下温度が上昇してしまい、外部への熱の放熱が大きくなる。この結果、朝方に床温、室温が、適温よりもやや低くなってしまう傾向があるが、上記基準よりも高い電気容量のヒータを用いると、設備容量の増大、電力量の増大によるランニングコストの増加という虞がある。また、昼間に蓄熱材からの放熱では暖房が不充分であった場合、追い炊き運転（昼間運転）として昼間にヒータに通電しても、床温、室温の温度上昇のレスポンスが悪い。
【０００６】
［３］パネル状部材、第一の蓄熱材、ヒータ、第二の蓄熱材の順での積層構造の場合
かかる構造は、上記［１］、［２］の構造と比較して、総蓄熱容量が同じ場合には蓄熱材一枚あたりの厚みは小さくなり、効率的な熱伝導が達成されるという利点があるが、上下の放熱状況が異なるため、時々刻々の蓄熱状況（蓄熱率）にバラツキがあることにより、放熱温度維持が困難であり、また、イニシャルコストが高いという問題もある。
このように、夜間における蓄熱効率を向上させ得ながら、かつ、昼間における暖房を効果的に行うことができる蓄熱式暖房装置の制御方法ならびに蓄熱式床暖房装置の開発が望まれている。
【０００７】
【特許文献１】
特開２００２−１６８４６７号公報
【特許文献２】
特開平１０−１６０１７８号公報
【特許文献３】
特開平１０−１６０３７３号公報
【特許文献４】
特開平１０−２６３５６号公報
【特許文献５】
特開平１１−４４４２９号公報
【０００８】
【発明が解決しようとする課題】
本発明は、上記課題を解決するためになされたものであって、その目的とするところは、夜間における蓄熱材からの放熱の無駄を低減し得、かつ昼間における暖房効果も向上することができる蓄熱式暖房装置の制御方法、ならびに蓄熱式暖房装置を提供することである。
【０００９】
【課題を解決するための手段】
本発明者らは、上記課題を解決するため鋭意研究を行った結果、本発明を完成するに至った。即ち、本発明は以下のとおりである。
（１）パネル状部材と、パネル状部材から離反する方向に向かって第一のヒータ、蓄熱材および第二のヒータが順次積層された蓄熱ユニットとを少なくとも備え、予め定められる蓄熱時間帯において蓄熱材に蓄熱し、その熱の放出によって上記蓄熱時間帯を除く時間帯の暖房を行う蓄熱式暖房装置を制御する方法であって、
第二のヒータには上記蓄熱時間帯のみ通電し、かつ、第一のヒータには少なくとも、上記蓄熱時間帯を除く時間帯の一部の時間帯に通電することを特徴とする蓄熱式暖房装置の制御方法。
（２）上記蓄熱時間帯が夜間電力時間帯の少なくとも一部である上記（１）に記載の制御方法。
（３）上記蓄熱時間帯を除く時間帯の一部の時間帯が、蓄熱時間帯の直後の時間帯、および／または、蓄熱時間帯の直前の時間帯である、上記（１）または（２）に記載の制御方法。
（４）パネル状部材と、パネル状部材から離反する方向に向かって第一のヒータ、蓄熱材および第二のヒータが順次積層された蓄熱ユニットと、該蓄熱ユニットを制御するための制御手段とを備える蓄熱式暖房装置であって、
制御手段が、予め定められる蓄熱時間帯のみ通電するように第二のヒータへの通電を制御し、かつ、少なくとも上記蓄熱時間帯を除く時間帯の一部の時間帯において通電するように第一のヒータへの通電を制御し得る機能を少なくとも有する蓄熱式暖房装置。
（５）パネル状部材と、パネル状部材から離反する方向に向かって第一のヒータ、蓄熱材および第二のヒータが順次積層された蓄熱ユニットを少なくとも備える蓄熱式暖房装置であって、第一のヒータが第二のヒータよりも大きな電気容量を有する蓄熱式暖房装置。
（６）予め定められる蓄熱時間帯のみ通電するように第二のヒータへの通電を制御し得、かつ、少なくとも上記蓄熱時間帯を除く時間帯の一部の時間帯において通電するように第一のヒータへの通電を制御する機能を少なくとも有する制御手段をさらに備える、上記（５）に記載の蓄熱式暖房装置。
（７）第二のヒータに隣接して断熱材が設けられたものである、上記（４）〜（６）のいずれかに記載の蓄熱式暖房装置。
（８）第一のヒータとパネル状部材とが互いに密着している、上記（４）〜（７）のいずれかに記載の蓄熱式暖房装置。
（９）床暖房装置である、上記（４）〜（８）のいずれかに記載の蓄熱式暖房装置。
【００１０】
【発明の実施の形態】
以下、本発明を詳細に説明する。
本発明は、予め定められる蓄熱時間帯において蓄熱を行い、該蓄熱時間帯を除く時間帯においては上記蓄熱した熱を放出することによって暖房を行う、蓄熱式暖房装置の制御方法である。本発明の制御方法においては、パネル状部材と、パネル状部材から離反する方向に向かって第一のヒータ、蓄熱材および第二のヒータが順次積層された蓄熱ユニットとを少なくとも備える蓄熱式暖房装置を使用する。本発明において、第一のヒータおよび第二のヒータは、通電により発熱し得るものを用いる。本発明の制御方法は、かかる蓄熱式暖房装置を用いて、第二のヒータには上記蓄熱時間帯のみ通電し、かつ、第一のヒータには少なくとも、上記蓄熱時間帯を除く時間帯の一部の時間帯に通電するようにヒータへの通電を制御することをその大きな特徴とするものである。
なお、本明細書中においては、説明の便宜上、蓄熱ユニットに関して、パネル状部材に近接する側を「上側」、パネル状部材から離反する側を「下側」とし、第一のヒータを「上側（面状）ヒータ」と、第二のヒータを「下側（面状）ヒータ」と呼ぶことがある。
【００１１】
本発明の制御方法において、「予め定められる蓄熱時間帯」とは、一日２４時間の中で任意に定められる蓄熱材への蓄熱を行う時間帯であって、好ましくは、該蓄熱時間帯が夜間電力時間帯の少なくとも一部となるように設定される。ここで「夜間電力時間帯」とは、電力会社の契約により夜間の電力量単価を昼間と比較して安価に提供する時間帯を指し、たとえば、時間帯別電灯、深夜電力、業務用蓄熱調整契約、産業用蓄熱調整契約などを包含する。蓄熱時間帯の具体的な時間帯は、契約する夜間電力時間帯により異なるが、一日２４時間の中で、たとえば時間帯別電灯、深夜電力の場合には２３時〜７時の時間帯、業務用蓄熱調整契約の場合には２２時〜８時の時間帯のうちのそれぞれ一部が例示される。
また、「蓄熱時間帯を除く時間帯」とは、一日２４時間のうち、上記蓄熱時間帯を除いた全ての時間帯を指す。上記のように蓄熱時間帯が夜間電力時間帯の一部に設定される場合には、当該蓄熱時間帯を除く時間帯は、朝方から夕方までの時間帯（たとえば、７時〜２３時の時間帯）が、この蓄熱時間帯を除く時間帯として設定される。
【００１２】
このような本発明の制御方法によれば、上記パネル状部材と蓄熱ユニットとを備える蓄熱式暖房装置において、蓄熱時間帯にのみ第二のヒータに通電して、蓄熱材に蓄熱するようにヒータへの通電を制御することによって、蓄熱材への熱の伝わりをより有効的に行うとともに、蓄熱時間帯における床面への余分な熱逃げを少なくでき、従来と比較して使用電力量を低下することができる。また、本発明の制御方法においては、第一のヒータには少なくとも、上記蓄熱時間帯を除く時間帯の一部の時間帯に通電して、上述の第二のヒータにより蓄熱材に蓄熱した熱の放出に加えて、第一のヒータへの通電によっても少なくとも上記蓄熱時間帯を除く時間帯の一部の時間帯に暖房を行うことで、パネル状部材を経ての暖房対象への放熱量を増加することができる。さらに、蓄熱ユニットにおいてパネル状部材に近接する側に位置する第一のヒータに上記通電を行うので、従来のパネル状部材、蓄熱材、ヒータの構成を備える従来の床暖房装置を用いて同様にヒータに通電する場合（また後述する本発明の蓄熱式暖房装置において同様に第二のヒータに通電する場合）と比較して、パネル状部材への熱の伝達が早く、用事における素早い追い炊き機能の実現が可能となる。このような本発明の蓄熱式暖房装置の制御方法によれば、夜間における蓄熱材への蓄熱効率を向上し得、かつ昼間における暖房効果も向上することができる。
【００１３】
本発明の制御方法は、さらに、上記蓄熱時間帯を除く時間帯の一部の時間帯が、蓄熱時間帯の直後の時間帯および蓄熱時間帯の直前の時間帯のうちの少なくともいずれかであることが好ましい。ここで、蓄熱時間帯の「直前の時間帯」とは、上述した蓄熱時間帯の前の０時間より長く２時間以下程度の時間帯を指し、蓄熱時間帯の「直後の時間帯」とは、上述した蓄熱時間帯の後の０時間より長く３時間以下程度の時間帯を指す。該蓄熱時間帯の直前の時間帯、蓄熱時間帯の直後の時間帯は、必ずしも蓄熱時間帯と連続する時間帯でなくともよく、０分間より長く４時間以下程度間があいていてもよい。
また、本発明の制御方法においては、蓄熱時間帯の少なくとも一部に第一のヒータに通電するように実現されても勿論よく、蓄熱時間帯の少なくとも一部と該蓄熱時間帯を除く時間帯とにまたがって、第一のヒータに通電するように実現されてもよい（たとえば、後述する実施例Ｄ（運転パターン４）、実施例Ｅ（運転パターン５）など）。
【００１４】
また本発明は、蓄熱式暖房装置を提供する。図１は、本発明の好ましい一例の蓄熱式暖房装置を簡略化して示す断面図である。
図１に示す本発明の一態様の蓄熱式暖房装置１は、パネル状部材２と、該パネル状部材２から離反する方向に向かって第一のヒータ４、蓄熱材５および第二のヒータ６が順次積層された蓄熱ユニット３と、予め定められる蓄熱時間帯のみ通電するように第二のヒータへの通電を制御する機能、ならびに少なくとも上記蓄熱時間帯を除く時間帯の一部の時間帯において通電するように第一のヒータへの通電を制御する機能を少なくとも有する制御手段（図示せず）とを備える。このような構成を備えた本発明の蓄熱式暖房装置によれば、第二のヒータには上記蓄熱時間帯のみ通電し、かつ、第一のヒータには少なくとも、上記蓄熱時間帯を除く時間帯の一部の時間帯に通電するようにヒータへの通電を制御する、本発明の制御方法を好適に実施することができる。かかる本発明の蓄熱式暖房装置は、従来公知の適宜の方法にて好適に製造することができる。
【００１５】
本発明におけるパネル状部材２は、蓄熱ユニットを暖房対象である外部空間（暖房空間）から隔て得る概ね平板状のものであれば特に制限はなく、被覆材、各種床仕上げ材（フローリング、カーペット、Ｐタイル（プラスチックタイル）等）などであってもよく、また孔などが形成されたものであってもよい。本発明の蓄熱式暖房装置が床暖房装置で実現される場合、パネル状部材２は、たとえば、図１に示すようにその一表面に間隔をあけて略平行に複数本の根太８が設けられて、従来公知の床パネル構造物を形成していてもよい。
【００１６】
また本発明における蓄熱ユニット３は、パネル状部材２から離反する方向に向かって順に、第一のヒータ４、蓄熱材５、第二のヒータ６の順で積層されていればよく、これらは互いに隣り合うように積層されていてもよいし、フィルム材（アルミニウムやプラスチック）などが間に介在されていてもよい。また、蓄熱材５は、第一のヒータ４および第二のヒータ６の間に挟まれているならば、１個であっても、複数個であってもよい。
第一および第二のヒータ４，６としては、通電によって発熱し得るものであれば従来公知のヒータを特に制限なく使用できるが、パネル状部材にコンパクトに収納し得、且つ蓄熱材への熱伝導の効率を向上し得ることから、面状ヒータが好ましい。また、本発明における蓄熱材５についても特に制限はなく、たとえば有機材系（パラフィンなど）、無機材系（硫酸ナトリウム、酢酸ナトリウムなど）など、従来公知の蓄熱材を特に制限なく使用することができる。
【００１７】
また本発明における制御手段は、第二のヒータには上記蓄熱時間帯のみ通電し、かつ、第一のヒータには少なくとも上記蓄熱時間帯を除く時間帯の一部の時間帯に通電するよう、蓄熱ユニットを制御するよう構成されたものであれば特には制限されるものではなく、従来公知の適宜のものを使用することができる。具体的には、コントローラ（タイマ付き）及び温度センサが挙げられる。
【００１８】
本発明の蓄熱式暖房装置においては、上記第二のヒータに隣接して断熱材９が設けられたものであることが好ましい。これにより、第二のヒータのパネル状部材から離反する側へ熱を逃がしてしまうことが少なく、消費電力を抑えることができる。ひいては、蓄熱材への蓄熱効率を高めることができる。
本発明の蓄熱式暖房装置に用いる上記断熱材９としては、たとえばウレタン系断熱材、スチレンフォーム、ロックウールなど、従来公知の断熱材を特に制限なく用いることができる。
【００１９】
また本発明においてパネル状部材２と蓄熱ユニット３とは、互いに隣接するものであってもよく、また、たとえば間にフィルム材（アルミニウムやプラスチック）などが介在されていてもよいが、パネル状部材２と第一のヒータ４とが互いに密着していることが好ましい。パネル状部材２と第一のヒータ４とが密着して形成されることで、外部空間（暖房空間）への熱の伝達をより大きくすることができ、蓄熱材に蓄熱した熱の効率のよい放出、ならびに第一のヒータを用いた素早い追い炊き機能を好適に実現することができる。なお、このようにパネル状部材２と第一のヒータ４とを互いに密着させる構成は、実施例５にて後述するようにパネル状部材に第一のヒータのみを予め貼り付けておき、その下側に面状ヒータおよび蓄熱材の構成物を組込むようにすることで、好適に製造することができる。
【００２０】
本発明の蓄熱式暖房装置において、第一のヒータの電気容量と第二のヒータの電気容量とは、互いに同じであってもよく、また、第一のヒータおよび第二のヒータの電気容量のいずれが大きくともよい。
本発明はまた、上記制御方法を好適に実施し得る蓄熱式暖房装置として、パネル状部材と、パネル状部材から離反する方向に向かって第一のヒータ、蓄熱材および第二のヒータが順次積層された蓄熱ユニットを少なくとも備え、第一のヒータが第二のヒータよりも大きな電気容量を有する蓄熱式暖房装置をも提供するものである。かかる態様の蓄熱式暖房装置によれば、第一のヒータおよび第二のヒータの電気容量が同じ場合、あるいは第二のヒータの電気容量が大きい場合と比較して、上記蓄熱時間帯を除く時間帯の少なくとも一部において第一のヒータに通電する際の加温を速効的に行うことができ、上述した本発明の制御方法を特に好適に実施し得る観点から、特に好ましい。好ましくは、上述した態様の蓄熱式暖房装置と同様に、予め定められる蓄熱時間帯のみ通電するように第二のヒータへの通電を制御する機能、ならびに少なくとも上記蓄熱時間帯を除く時間帯の一部の時間帯において通電するように第一のヒータへの通電を制御する機能を少なくとも有する制御手段をさらに備えることが好ましい。
【００２１】
なお上記いずれの態様の蓄熱式暖房装置であっても、使用するヒータの電気容量は、蓄熱材を充分に蓄熱させることを基準にして、１パネル（９０９ｍｍ×９０９ｍｍ）あたり、２００Ｗ〜５２０Ｗから選ばれるのが好ましく、３００Ｗ〜４５０Ｗから選ばれるのがより好ましい。
【００２２】
上述した本発明の蓄熱式暖房装置は、床暖房装置、壁暖房など、様々な形態の暖房装置として実現することができるが、頭寒足熱を実現できる輻射熱を利用した床暖房装置として実現されることが好ましい。
【００２３】
【実施例】
以下に実施例を示し、本発明を具体的に説明するが、本発明は下記の実施例に制限されるものではない。
実施例１
面状ヒータ（９０２ｍｍ×２５３ｍｍ×０．８ｍｍ（サーモスタット部分のみ厚さ８ｍｍ）、電気容量：６９Ｗ）２枚を、蓄熱材（８００ｍｍ×２５０ｍｍ×２１ｍｍ、三菱電線工業社製）の上下に配置したものを蓄熱ユニットを作製した。これに断熱材（９０９ｍｍ×２５８ｍｍ×２０ｍｍ）（上側断熱材とする）を貼り付けた。この上側断面材付きの蓄熱ユニットを、９０９ｍｍ×９０９ｍｍの大きさのパネル状部材（根太付きの床パネル）の根太間に組込んで蓄熱パネルを形成した。床暖房施工現場にて、この蓄熱パネルを、大引きおよびその間に断熱材（下側断熱材とする）を配置して、制御手段としてコントローラ（タイマ付）及び温度センサを設け、蓄熱式床暖房装置のサンプルを作製した。パネル状部材の上側に床材を配置して蓄熱式床暖房工事を行い、床暖房システムを構築した。
【００２４】
実施例２
床暖房施工現場にて、大引きおよびその間に断熱材を配置した上側に、合板を配置し、その上側に根太を平行に配置し、その間に下側面状ヒータ（第二のヒータ）（９０２ｍｍ×２５３ｍｍ×０．８ｍｍ（サーモスタット部分のみ厚さ８ｍｍ）、電気容量：６９Ｗ）、蓄熱材（８００ｍｍ×２５０ｍｍ×２１ｍｍ、三菱電線工業社製）、上側面状ヒータ（第一のヒータ）（９０２ｍｍ×２５３ｍｍ×０．８ｍｍ（サーモスタット部分のみ厚さ８ｍｍ）、電気容量：６９Ｗ）を順次設置し、制御手段としてコントローラ（タイマ付）及び温度センサを設け、その上側にパネル状部材（合板）を設け、蓄熱式床暖房装置のサンプルを作製した。その後は、通常の蓄熱式床暖房工事と同様に、その上側に床材を配置し、床暖房システムを構築した。
【００２５】
実施例３
面状ヒータ（１７０２ｍｍ×２５３ｍｍ×０．８ｍｍ（サーモスタット部分のみ厚さ８ｍｍ）、電気容量：１３９Ｗ）２枚を、面状ヒータの長手方向に並べた蓄熱材（８００ｍｍ×２５０ｍｍ×２１ｍｍ、三菱電線工業社製）１枚ずつの上下に配置したものを蓄熱ユニットとした。これに断熱材（１８１８ｍｍ×２５８ｍｍ×２０ｍｍ）（上側断熱材とする）を貼りつけ、この上側断熱材付きの蓄熱ユニットを、パネル状部材（根太付きの床パネル（１８１８ｍｍ×９０９ｍｍ））の根太間に組込み、制御手段としてコントローラ（タイマ付）及び温度センサを設け、蓄熱式床暖房装置のサンプルを作製した。その後は、床暖房施工現場にて、大引きおよびその間に断熱材（＝下側断熱材とする）を配置した上側に設置し、パネル状部材上に床材を配置し、床暖房システムを構築した。
【００２６】
実施例４
面状ヒータ（９０２ｍｍ×２５３ｍｍ×０．８ｍｍ（サーモスタット部分のみ厚さ８ｍｍ）、電気容量：６９Ｗ）１枚を第一のヒータとして、蓄熱材（８００ｍｍ×２５０ｍｍ×２１ｍｍ、三菱電線工業社製）の上側に配置し、面状ヒータ（９０２ｍｍ×２５３ｍｍ×０．８ｍｍ（サーモスタット部分のみ厚さ８ｍｍ）、電気容量：４６Ｗ）１枚を第二のヒータとして上記蓄熱材の下側に配置して形成した蓄熱ユニットを用いた以外は実施例１と同様にして蓄熱式床暖房装置を作製して、床暖房システムを構築した。
【００２７】
実施例５
面状ヒータ（９０２ｍｍ×２５３ｍｍ×０．８ｍｍ（サーモスタット部分のみ厚さ８ｍｍ）、電気容量：６９Ｗ）１枚を第二のヒータとして、蓄熱材（８００ｍｍ×２５０ｍｍ×２１ｍｍ、三菱電線工業社製）の下側に配置し、その下側に断熱材（９０９ｍｍ×２５８ｍｍ×２０ｍｍ）（上側断熱材とする）を貼り付けた。この際、面状ヒータ（９０２ｍｍ×２５３ｍｍ×０．８ｍｍ（サーモスタット部分のみ厚さ８ｍｍ）、電気容量：４６Ｗ）を第一のヒータとして、パネル状部材（根太付きの床パネル（９０９ｍｍ×９０９ｍｍ）の根太間（３ヶ所）に予め貼り付けておき、その下側に上記上側断熱材を貼り付けた面状ヒータおよび蓄熱材の構成物を組込み、制御手段としてコントローラ（タイマ付）及び温度センサを設け、蓄熱式床暖房装置のサンプルを作製した。パネル状部亜の上側に床材を配置して蓄熱式床暖房工事を行い、床暖房システムを構築した。
【００２８】
比較例１
面状ヒータ（９０２ｍｍ×２５３ｍｍ×０．８ｍｍ（サーモスタット部分のみ厚さ８ｍｍ）、電気容量：６９Ｗ）１枚を、蓄熱材（８００ｍｍ×２５０ｍｍ×２１ｍｍ、三菱電線工業社製）の上側に配置したものを蓄熱ユニットとして用いた以外は、実施例１と同様にした。
【００２９】
比較例２
面状ヒータ（９０２ｍｍ×２５３ｍｍ×０．８ｍｍ（サーモスタット部分のみ厚さ８ｍｍ）、電気容量：６９Ｗ）１枚を、蓄熱材（８００ｍｍ×２５０ｍｍ×２１ｍｍ、三菱電線工業社製）の下側に配置したものを蓄熱ユニットとして用いた以外は、実施例１と同様にした。
【００３０】
比較例３
１枚の面状ヒータ（９０２ｍｍ×２５３ｍｍ×０．８ｍｍ（サーモスタット部分のみ厚さ８ｍｍ）、電気容量：６９Ｗ）の上下に、蓄熱材（８００ｍｍ×２５０ｍｍ×２１ｍｍ、三菱電線工業社製）をそれぞれ配置したものを蓄熱ユニットとして用いた以外は、実施例１と同様にした。
【００３１】
上述で得られた実施例１〜５、比較例１〜３の床暖房システムを用いて、下記パターン１での運転を試みた。
（１）運転パターン１（実施例Ａ）
２３時〜７時の時間帯に下側面状ヒータに通電し、蓄熱材を蓄熱させ、７時〜１９時の時間帯においては、蓄熱材からの放熱のみで暖房を行った。１９時〜２３時の時間帯については、そのうちの３時間（１９時〜２２時）の間、上側面状ヒータに通電し、追加運転（追い炊き）を実施した。
【００３２】
上記運転パターンでの面状ヒータ電気容量［Ｗ／パネル（９０９ｍｍ×９０９ｍｍ）］、消費電力［ｋＷｈ／（ｄａｙ・パネル（９０９ｍｍ×９０９ｍｍ）］、ならびに比較例１、２、３に対する優位点は、それぞれ表１に示すとおりであった。
【００３３】
【表１】
2004245533.tif 000003
【００３４】
実施例１〜５の床暖房システムについては、上記運転パターン１で、７時〜１９時の時間帯においては、蓄熱材からの放熱のみで床温、室温とも適切で快適な暖房空間をかもし出せた。さらに１９時〜２３時の時間帯における追加運転により、快適な暖房空間が得られた。
【００３５】
実施例１〜５の床暖房システムについて、下記（２）〜（９）のパターンでの運転を試みた。
【００３６】
（２）運転パターン２（実施例Ｂ）
２３時〜６時の時間帯に下側面状ヒータに通電し、蓄熱材を蓄熱させた。６時〜８時の時間帯においては、上側面状ヒータに通電し、追加運転を実施することによって、やや床温をあげることができた（蓄熱材の放熱も抑制された）。８時〜２０時の時間帯においては、蓄熱材からの放熱のみで床温、室温とも適切で快適な暖房空間をかもし出せた。２０時〜２３時の時間帯については、そのうちの２時間（２０時〜２２時）の間、上側面状ヒータに通電して追加運転を実施することにより、快適な暖房空間が得られた。
【００３７】
（３）運転パターン３（実施例Ｃ）
２３時〜７時の時間帯に下側面状ヒータに通電し、蓄熱材を蓄熱させた。７時〜９時の時間帯においては、上側面状ヒータに通電し、追加運転を実施することによって、やや床温をあげることができた（蓄熱材の放熱も抑制された）。９時〜１９時の時間帯においては、蓄熱材からの放熱のみで床温、室温とも適切で快適な暖房空間をかもし出せた。また、１９時〜２１時の時間帯にも上側面状ヒータに通電して追加運転を実施することにより、快適な暖房空間が得られた。
【００３８】
（４）運転パターン４（実施例Ｄ）
２３時〜７時の時間帯に下側面状ヒータに通電し、蓄熱材を蓄熱させた。６時〜９時の時間帯においては、上側面状ヒータに通電（６時〜７時の間は、上側面状ヒータ、下側面状ヒータのどちらにも通電）し、追加運転を実施することによって、やや床温をあげることができた（蓄熱材の放熱も抑制された）。９時〜２１時の時間帯においては、蓄熱材からの放熱のみで床温、室温とも適切で快適な暖房空間をかもし出せた。また、２１時〜２４時（０時）の時間帯にも上側面状ヒータに通電（２３時〜２４時の間は、上側面状ヒータ、下側面状ヒータのどちらにも通電）して追加運転を実施することにより、快適な暖房空間が得られた。
【００３９】
（５）運転パターン５（実施例Ｅ）
２３時〜７時の時間帯に下側面状ヒータに通電し、蓄熱材を蓄熱させた。６時〜９時の時間帯においては、上側面状ヒータに通電（６時〜７時の間は、上側面状ヒータ、下側面状ヒータのどちらにも通電）し、追加運転を実施することによって、やや床温をあげることができた（蓄熱材の放熱も抑制された）。９時〜２１時の時間帯においては、蓄熱材からの放熱のみで床温、室温とも適切で快適な暖房空間をかもし出せた。また、２１時〜２４時（０時）の時間帯にも上側面状ヒータに通電（２３時〜２４時の間は、上側面状ヒータ、下側面状ヒータのどちらにも通電）して追加運転を実施することにより、快適な暖房空間が得られた。
【００４０】
（６）運転パターン６（実施例Ｆ）
２３時〜７時の時間帯に下側面状ヒータに通電し、蓄熱材を蓄熱させた。７時〜２３時の時間帯においては、上側面状ヒータに通電し、追加運転を実施した。結果、寒い日でも１日中快適な暖房空間が得られた。
【００４１】
（７）運転パターン７（実施例Ｇ）
３時〜７時の時間帯に下側面状ヒータに通電し、蓄熱材を蓄熱させた。７時〜１８時の時間帯においては、蓄熱材からの放熱のみで床温、室温とも適切で快適な暖房空間をかもし出せた。また、１８時〜２３時の時間帯には上側面状ヒータに通電して追加運転を実施することにより、快適な暖房空間が得られた。
【００４２】
（８）運転パターン８（比較例Ａ）
２３時〜７時の時間帯に上側面状ヒータに通電し、蓄熱材を蓄熱させた。７時〜２３時の時間帯においては、蓄熱材からの放熱のみで暖房を行ったところ、夜間（７時〜２３時）の床への放熱が多いためか、電力量が増大してしまうという不具合があった。
【００４３】
（９）運転パターン９（比較例Ｂ）
２３時〜７時の時間帯に上側面状ヒータ、下側面状ヒータのどちらにも通電し、蓄熱材を蓄熱させたところ、比較例Ａほどではないものの同様の不都合があった。
【００４４】
【発明の効果】
以上の説明で明らかなように、本発明によれば、夜間における蓄熱材からの放熱のムダを低減し得、かつ昼間における暖房効果も向上することができる蓄熱式暖房装置の制御方法、ならびに蓄熱式暖房装置を提供することができる。
【図面の簡単な説明】
【図１】本発明の蓄熱式暖房装置を簡略化して示す断面図である。
【符号の説明】
１      蓄熱式暖房装置
２      パネル状部材
３      蓄熱ユニット
４      第一のヒータ
５      蓄熱材
６      第二のヒータ
８      根太
９      断熱材
【図１】
2004245533.tif 000004